(57)【要約】【課題】高齢者や児童等などが複雑な機械操作を必要とすることなく、日常的あるいは緊急に保護者等が所持する端末に対して、保護者等が必要とする情報を的確かつ簡易に送信することを可能とする歩数計、この歩数計のデータ処理方法およびコンピュータプログラムを提供することである。【解決手段】本願の歩数計は、ユーザが携帯し、日常的あるいは緊急に電子メールを送信する機能と、電子メールを送信するための送信ボタンとを有する歩数計である。この歩数計は、歩数情報や位置情報等である生活情報を取得する。そして、ユーザにより送信ボタンが押されることで、自動的に生活情報と予め記憶された文章データに基づいて電子メールを作成し、送信することができることを特徴とする、歩数計である。【選択図】図１
2014112349.tif 000002
【特許請求の範囲】
【請求項１】
ユーザが携帯しうるためのケースを備え、日常的あるいは緊急に電子メールを送信する機能と、前記ケースに前記電子メールを送信するための送信ボタンとを有する歩数計であって、前記歩数計は、
加速度を検出する加速度検出手段と、
前記検出された加速度に基づいて前記ユーザの歩行を検出し歩数を計数する歩数計数手段と、
前記ユーザの位置情報を取得する位置情報取得手段と、
前記計数された歩数情報と前記取得された位置情報とを記憶する記憶手段と、
前記電子メールに記載される文章データを記憶する文章記憶手段と、
メールアドレスを記憶するメールアドレス記憶手段と、
前記記憶された歩数情報、前記記憶された位置情報および前記記憶された文章データに基づき電子メールを作成するデータ作成手段と、
前記作成された電子メールを送信する前記メール送信手段と、
を含み、
前記送信ボタンが押されることにより、自動的に前記電子メールが作成され、前記メールアドレスに前記電子メールが送信されることを特徴とする、歩数計。
【請求項２】
空メールを受信するためのメール受信手段を含み、
前記メール受信手段が空メールを受信することにより、自動的に前記電子メールが作成され、前記空メールの送信元に前記電子メールを送信することを特徴とする、請求項１に記載の歩数計。
【請求項３】
前記取得された位置情報に基づき前記ユーザが所定の行動範囲外に移動したか否かを判定する機能を有する判定手段を含み、
前記判定手段が、前記所定の行動範囲外に移動したと判定した場合に、前記所定の行動範囲外に移動したことを記載した電子メールを作成し、前記作成された電子メールを送信することを特徴とする、請求項１または請求項２に記載の歩数計。
【請求項４】
前記判定手段は、さらに前記ユーザの一日の歩数が所定の歩数より下回ったか否かを判定する機能を有し、
前記判定手段が、一日の歩数が所定の歩数より下回ったと判定した場合に、前記歩数情報を記載した電子メールを作成し、前記作成された電子メールを送信することを特徴とする、請求項１ないし請求項３のいずれかに記載の歩数計。
【請求項５】
前記ユーザの脈拍を検知できる位置に配置され、前記ユーザの脈拍を測定する脈拍測定手段と、
前記測定された脈拍数を含む生体情報を記憶するための生体情報記憶手段と、を有し、
前記判定手段は、前記生体情報に異常があるか否かを判定する機能を有し、
前記判定手段が、生体情報に異常があったと判定した場合に、前記生体情報に異常があることを記載した前記文章データを含む電子メールを作成し、前記作成された電子メールを送信することを特徴とする、請求項１ないし請求項４のいずれかに記載の歩数計。
【請求項６】
前記ユーザの体温を検知できる位置に配置され、前記ユーザの体温を測定するための体温測定手段と、
前記測定された体温情報を含む生体情報を記憶するための生体情報記憶手段と、を有し、
前記判定手段は、さらに前記生体情報に異常があるか否かを判定する機能を有し、
前記判定手段が、生体情報に異常があったと判定した場合に、前記生体情報に異常があることを記載した前記文章データを含む電子メールを作成し、前記作成された電子メールを送信することを特徴とする、請求項１ないし請求項５のいずれかに記載の歩数計。
【請求項７】
角速度を検出する角速度検出手段を有し、
前記判定手段は、さらに検出された加速度、検出された角速度、測定された生体情報に基づいて、ユーザが倒れたか否かを判定する機能を有し、
前記判定手段が、ユーザが倒れたと判定した場合に、ユーザが倒れたことを記載した前記文章データを含む電子メールを作成し、前記作成された電子メールを送信することを特徴とする、請求項５および請求項６に記載の歩数計。
【請求項８】
前記脈拍測定手段または前記体温測定手段のうち少なくともいずれか一方は、前記ケースの角部または端縁部に配置されることを特徴とする、請求項５または請求項６に記載の歩数計。
【請求項９】
前記ユーザが話す音声を音声情報として取得する音声情報取得手段と、
前記取得された音声情報を記憶する手段と、
をさらに含み、
前記取得された音声情報を前記電子メールに添付し、送信することを特徴とする、請求項１ないし請求項８のいずれかに記載の歩数計。
【請求項１０】
前記歩数計のバッテリの残量情報を検知するバッテリ残量検知手段を含み、
前記バッテリ残量検知手段が、バッテリの残量が所定量より少なったと検知した場合に、バッテリの残量が低下したことを記載した文章データを含む電子メールを作成し、前記作成された電子メールを送信することを特徴とする、請求項１ないし請求項９のいずれかに記載の歩数計。
【請求項１１】
前記ユーザが誤って電子メールを送信したことを訂正するための訂正ボタンをさらに備え、
前記訂正ボタンが押されることにより、自動的に前記電子メールが作成され、前記メールアドレスに前記電子メールを送信することを特徴とする、請求項１ないし請求項１０のいずれかに記載の歩数計。
【請求項１２】
ユーザが携帯し、日常的あるいは緊急に電子メールを送信する機能を有し、前記電子メールを送信するための送信ボタンを備える歩数計のデータ処理方法であって、前記方法は、
前記ユーザの歩数を計数して歩数情報を取得するステップと、
前記ユーザの位置情報を取得するステップと、
前記取得された歩数情報と前記取得された位置情報を記憶するステップと、
前記電子メールに記載される文章データを記憶するステップと、
前記記憶された歩数情報、前記記憶された位置情報および前記記憶された文章情報に基づき電子メールを作成するステップと、
前記作成された電子メールを送信するステップと、
を含み、
前記送信ボタンが押されることにより、自動的に前記電子メールが作成され、前記メールアドレスに前記電子メールが送信されることを特徴とする、歩数計のデータ処理方法。
【請求項１３】
請求項１２に記載の方法をコンピュータに実行させるための歩数計のデータ処理方法を実行するためのコンピュータプログラム。
【発明の詳細な説明】
【技術分野】
【０００１】
本発明は、歩数計、この歩数計のデータ処理方法およびコンピュータプログラムであって、歩数計のユーザが日常的あるいは緊急に電子メールを送信する機能を有する歩数計、この歩数計のデータ処理方法およびコンピュータプログラムに関する。
【背景技術】
【０００２】
高齢化が進んできている現在、１人で生活している高齢者が増加している。高齢者等は近親者から遠く離れて生活をしていることが多いため、近親者は、高齢者等の保護対象者に対して電話等で生活状況を確認することが多くなる。しかしながら、近親者自身も生活状況よって多忙な状況にある場合、保護対象者に対して頻繁に電話をして生活状況を確認することも困難となっている。また、高齢者側においても、通常の生活では、１人で生活していることで意識されないような病気になった時や突然倒れる等の緊急事態に対して不安を感じている人も多い。
【０００３】
そのため、高齢者に限らず、幼児等も含めて、見守り者の現在のエリア情報や歩数情報を発信する機能を持ち、管理センターが位置情報を地図化、移動経歴を示すことができるようなシステムが提案されている（特許文献１を参照）。このシステムによれば、今どこにいるか、どう移動しているかという情報を得ることができる。加えて、見守り者の現在所在しているエリア情報や歩数情報、ユーザ情報等がまとめられており、サーバに接続することにより閲覧可能なシステムが提案されている。このように見守り者の現在位置情報や、生活情報を得ることが、見守り者の状況把握をする上で必要な情報と考えることができる。
【先行技術文献】
【特許文献】
【０００４】
【特許文献１】特開２０１０−１８７２８４号公報
【発明の概要】
【発明が解決しようとする課題】
【０００５】
上述したように、携帯端末として携帯電話を用いて高齢者等におけるエリア情報や歩数情報を、外部の管理センターを介して提供するシステムは存在している。しかし、高齢者用に改造することなくそのままの携帯電話を使用したり、携帯電話にヘルプキーを設けたりして高齢者用に改造しても、緊急時に扱うことを考えた場合、携帯電話にはボタンがたくさんあるため、間違えて押してしまう可能性が高くなることを否定出来ない。また、携帯電話で短縮ダイヤルを使用して緊急事態を通報する方法を採用しても、どの短縮番号でどこにつながるかを覚えていなければならないため、高齢者が緊急時に対応することが容易であるとは言えない。
このように、携帯電話をそのまま使用する場合は当然に、携帯電話を改造してヘルプキー等を設けたり、短縮ダイヤルを用いたりする場合には、携帯電話には多くのキーがあることから、高齢者や児童等が緊急時に送信する時、携帯電話において必要なボタンを押せず、間違えて他のボタンを押してしまうという可能性を有していた。
【０００６】
また、通話を緊急伝達手段として利用する場合、興奮して話が出来なかったり、苦しくて話が出来なかったり等の状態が考えられるため、携帯電話を用いた通話による緊急伝達には、携帯電話の所有者の状態によっては使用できない状況が生じる可能性を有していた。また、電子メールを緊急伝達手段として採用する場合には、文章作成を行うものがほとんどであり、文章作成を容易にするシステムが提案されているものの、高齢者が緊急事態の状況に直面した場合、そのような状況で文章を作成すること事態が困難であるといった問題があった。
【０００７】
また、端末所持者の位置情報や生活情報を近親者や保護者等に提供する場合、サーバ等を設け、データベースを構築し情報提供に対応することが多い。このような方法によると、多くの情報を提供することが可能となるものの、システム構築が複雑になり、さらには高価なシステムになってしまうといった問題があった。
【０００８】
それゆえに、この発明の主たる目的は、高齢者や児童等などが複雑な機械操作を必要とすることなく、日常的あるいは緊急に保護者等が所持する端末に対して、保護者等が必要とする情報を的確かつ簡易に送信することを可能とする歩数計、この歩数計のデータ処理方法およびコンピュータプログラムを提供することである。
【課題を解決するための手段】
【０００９】
この発明にかかる歩数計は、ユーザが携帯しうるためのケースを備え、日常的あるいは緊急に電子メールを送信する機能と、ケースに電子メールを送信するための送信ボタンとを有する歩数計であって、歩数計は、加速度を検出する加速度検出手段と、検出された加速度に基づいてユーザの歩行を検出し歩数を計数する歩数計数手段と、ユーザの位置情報を取得する位置情報取得手段と、計数された歩数情報と取得された位置情報とを記憶する記憶手段と、電子メールに記載される文章データを記憶する文章記憶手段と、メールアドレスを記憶するメールアドレス記憶手段と、記憶された歩数情報、記憶された位置情報および記憶された文章データに基づき電子メールを作成するデータ作成手段と、作成された電子メールを送信するメール送信手段と、を含み、送信ボタンが押されることにより、自動的に電子メールが作成され、メールアドレスに電子メールが送信されることを特徴とする、歩数計である。
また、この発明にかかる歩数計では、空メールを受信するためのメール受信手段を含み、メール受信手段が空メールを受信することにより、自動的に電子メールが作成され、空メールの送信元に電子メールを送信する機能を備えることが好ましい。
また、この発明にかかる歩数計では、取得された位置情報に基づきユーザが所定の行動範囲外に移動したか否かを判定する機能を有する判定手段を含み、判定手段が、所定の行動範囲外に移動したと判定した場合に、所定の行動範囲外に移動したことを記載した電子メールを作成し、作成された電子メールを送信する機能を備えることが好ましい。
また、この発明にかかる歩数計では、判定手段は、さらにユーザの一日の歩数が所定の歩数より下回ったか否かを判定する機能を有し、判定手段が、一日の歩数が所定の歩数より下回ったと判定した場合に、歩数情報を記載した電子メールを作成し、作成された電子メールを送信する機能を備えることが好ましい。
また、この発明にかかる歩数計では、ユーザの脈拍を検知できる位置に配置され、ユーザの脈拍を測定する脈拍測定手段と、測定された脈拍数を含む生体情報を記憶するための生体情報記憶手段と、を有し、判定手段は、生体情報に異常があるか否かを判定する機能を有し、判定手段が、生体情報に異常があったと判定した場合に、生体情報に異常があることを記載した文章データを含む電子メールを作成し、作成された電子メールを送信する機能を備えることが好ましい。
また、この発明にかかる歩数計では、角速度を検出する角速度検出手段を有し、判定手段は、さらに検出された加速度、検出された角速度、測定された生体情報に基づいて、ユーザが倒れたか否かを判定する機能を有し、判定手段が、ユーザが倒れたと判定した場合に、ユーザが倒れたことを記載した文章データを含む電子メールを作成し、作成された電子メールを送信することが好ましい。
また、この発明にかかる歩数計では、ユーザの体温を検知できる位置に配置され、ユーザの体温を測定するための体温測定手段と、測定された体温情報を含む生体情報を記憶するための生体情報記憶手段と、を有し、判定手段は、さらに生体情報に異常があるか否かを判定する機能を有し、判定手段が、生体情報に異常があったと判定した場合に、生体情報に異常があることを記載した文章データを含む電子メールを作成し、作成された電子メールを送信する機能を備えることが好ましい。
また、この発明にかかる歩数計では、脈拍測定手段または体温測定手段のうち少なくともいずれか一方が、ケースの角部または端縁部に配置されるのが好ましい。
また、この発明にかかる歩数計では、ユーザが話す音声を音声情報として取得する音声情報取得手段と、取得された音声情報を記憶する手段と、をさらに含み、取得された音声情報を電子メールに添付し、送信する機能を備えることが好ましい。
また、この発明にかかる歩数計では、歩数計のバッテリの残量情報を検知するバッテリ残量検知手段を含み、バッテリ残量検知手段が、バッテリの残量が所定量より少なったと検知した場合に、バッテリの残量が低下したことを記載した文章データを含む電子メールを作成し、作成された電子メールを送信する機能を備えることが好ましい。
また、この発明にかかる歩数計では、ユーザが誤って電子メールを送信したことを訂正するための訂正ボタンをさらに備え、訂正ボタンが押されることにより、自動的に電子メールが作成され、メールアドレスに電子メールを送信する機能を備えることが好ましい。
この発明にかかる歩数計のデータ処理方法は、ユーザが携帯し、日常的あるいは緊急に電子メールを送信する機能を有し、電子メールを送信するための送信ボタンを備える歩数計のデータ処理方法であって、方法は、ユーザの歩数を計数して歩数情報を取得するステップと、ユーザの位置情報を取得するステップと、取得された歩数情報と取得された位置情報を記憶するステップと、電子メールに記載される文章データを記憶するステップと、記憶された歩数情報、記憶された位置情報および記憶された文章情報に基づき電子メールを作成するステップと、作成された電子メールを送信するステップと、を含み、送信ボタンが押されることにより、自動的に電子メールが作成され、メールアドレスに電子メールが送信されることを特徴とする、歩数計のデータ処理方法である。
この発明にかかる歩数計のコンピュータプログラムは、この発明にかかる歩数計のデータ処理方法をコンピュータに実行させるためのコンピュータプログラムである。
【００１０】
この発明の歩数計では、歩数計が電子メールを送信するための送信ボタンを備え、その送信ボタンを押すだけで、歩数計が取得した位置情報や歩数情報等の生活情報と共に文章データを付加して自動的に送信する機能を備えているので、歩数計のユーザである高齢者や児童等は、複雑な機械操作を必要とすることなく、的確かつ簡易に保護者等が所持する端末に電子メールを送信することができる。
また、この発明の歩数計では、空メールを受信することにより自動的に生活情報等が記載された電子メールを作成し、その空メールの送信元に送信する機能を備えていると、保護者等がユーザの状態を即時に知ることができる。
また、この発明の歩数計では、ユーザの予定する行動範囲を越えて移動した場合に、電子メールを送信する機能を備えていると、保護者等は、ユーザが生活圏内から外れたことや、児童や幼児等が連れ去れたこと等を監視することができ、ユーザの行動状況を即時に知ることができる。
また、この発明の歩数計では、ユーザの予定する１日の歩数が下限値を所定の期間下回った場合に、電子メールを送信する機能を備えていると、１人暮らしの高齢者があまり行動していないと認識できることから、孤独死等に対して迅速に対応することができる。
また、この発明の歩数計では、脈拍数や体温等の生体情報に異常がある場合に、電子メールを送信する機能備えていると、保護者等は、ユーザの生体情報に異常があることを即時に知ることができ、対処することができる。
また、この発明の歩数計では、ユーザが倒れたことを判定することができるので、ユーザが倒れたことによって、保護者等は、危機的な状態であることを迅速に把握することができる。
また、この発明の歩数計では、脈拍測定手段や体温測定手段がケースの角部または端縁部に配置されていると、ユーザが歩数計を携帯した場合に身体に接し易くなり、精度よく生体情報を取得することができる。
さらに、この発明の歩数計では、ユーザの音声情報を取得する機能を備えていると、ユーザ自身も肉声を届けるという安心感を与えることができ、また、保護者等に対して、情報が正確に届いているかどうかについて不安と感じる高齢者に対しても、安心感を与えることができる。
また、この発明の歩数計では、歩数計のバッテリの残量が低下したことを検知する機能を備えていると、バッテリの残量が低下したことを保護者等に対して知らせることで、歩数計のバッテリの管理意識の低い高齢者等に対しても、充電すべきことを促すことができる。
さらにまた、この発明の歩数計では、電子メールを送信する送信ボタンとは別に訂正ボタンを備えていると、ユーザが誤って電子メールを送信してしまった場合、即時に訂正する電子メールを送信することができるので、保護者等に対して無用な心配をかけるといったことを迅速に防ぐことができる。
【発明の効果】
【００１１】
この発明によれば、高齢者や児童等が複雑な機械操作を必要とすることなく、日常的あるいは緊急に保護者等が所持する端末に対して、保護者等が必要とする情報を的確かつ簡易に送信することを可能とする歩数計、この歩数計のデータ処理方法およびコンピュータプログラムが得られる。
【００１２】
この発明の上述の目的、その他の目的、特徴および利点は、図面を参照して行う以下の発明を実施するための形態の説明から一層明らかとなろう。
【図面の簡単な説明】
【００１３】
【図１】この発明にかかる歩数計を含む歩数計管理システムの一実施の形態の構成例を示す図解図である。
【図２】この発明にかかる歩数計の一実施の形態の外観を示す斜視模式図である。
【図３】この発明にかかる歩数計の第１の実施の形態の構成例を示すブロック図である。
【図４】この発明にかかる歩数計におけるデータ処理部が備えるデータ記憶部の構成例を示すブロック図である。
【図５】この発明にかかる歩数計の他の実施の形態の外観を示す斜視模式図であり、（ａ）は図２に示す歩数計とは異なる角部に脈拍センサおよび温度センサを設けており、（ｂ）は歩数計の端縁部に脈拍センサおよび温度センサを設けており、（ｃ）は（ｂ）に示す歩数計とは異なる端縁部に温度センサを設けている。
【図６】この発明にかかる歩数計から電子メールを送信するときの処理動作を示す一実施例のフローチャートである。
【図７】この発明にかかる歩数計から送信される電子メールに記載される内容例あるいは携帯端末や監視用端末に表示した例を示す図である。
【図８ａ】この発明にかかる歩数計が空メールを受信したときの処理動作を示す一実施例のフローチャートである。
【図８ｂ】この発明にかかる歩数計が受信した空メールのｓｕｂｊｅｃｔ欄において履歴用コードが記載されていた場合の処理動作を示す一実施例のフローチャートである。
【図９】この発明にかかる歩数計から音声情報ファイルを含む電子メールを送信するときの処理動作を示す一実施例のフローチャートである。
【図１０】この発明にかかる歩数計から自動的に緊急に歩数情報に基づく電子メールを送信するときの処理動作を示す一実施例のフローチャートである。
【図１１】この発明にかかる歩数計から自動的に緊急に位置情報に基づく電子メールを送信するときの処理動作を示す一実施例のフローチャートである。
【図１２】この発明にかかる歩数計から自動的に緊急に生体情報に基づく電子メールを送信するときの処理動作を示す一実施例のフローチャートである。
【図１３】この発明にかかる歩数計から自動的に緊急にバッテリ残量に基づく電子メールを送信するときの処理動作を示す一実施例のフローチャートである。
【図１４】この発明にかかる歩数計の第２の実施の形態の構成例を示すブロック図である。
【図１５】この発明にかかる歩数計から電子メールを送信するときの処理動作を示す一実施例のフローチャートである。
【図１６】この発明にかかる歩数計から送信される電子メールに記載される形式例を示した図である。（ａ）は、一括読出しがされた場合の形式例であり、（ｂ）および（ｃ）は、移動履歴付きの場合の内容例である。
【図１７】この発明にかかる歩数計から送信される電子メールに基づいて携帯端末や監視用端末に表示される歩数履歴情報を表形式により表示した例を示す図である。
【図１８】この発明にかかる歩数計から送信される電子メールに基づいて携帯端末や監視用端末に表示される歩数履歴情報をグラフ形式により表示した例を示す図である。
【図１９】この発明にかかる歩数計から送信される電子メールに基づいて携帯端末や監視用端末に表示される移動履歴情報を地図形式により表示した例を示す図である。（ａ）は、地図上に最終地点を含む測位地点の点と移動経路を示すベクトルとが表示されており、（ｂ）は、地図上に最終地点を含む測位地点の点と移動経路を示す破線による直線とが表示されており、（ｃ）は、全体の移動経路を示す破線による折れ線と最終地点の点とが表示されている。
【図２０】この発明にかかる歩数計がデータ要求メールを受信したときの処理動作を示す一実施例のフローチャートである。
【発明を実施するための形態】
【００１４】
本発明にかかる歩数計管理システムは、高齢者や児童等である歩数計のユーザに基づく情報を、日常的あるいは緊急に伝えたい相手（保護者等）に対し電子メール（ショートメッセージを含む）を利用して必要なときに知らせることができるシステムである。図１は、本発明にかかる歩数計管理システムの一実施の形態の構成例を示す図解図である。また、図２ないし図５を参照しながら歩数計１００の構成例等について説明する。
【００１５】
歩数計管理システム１０は、電子メールを送受信する機能を有する歩数計１００を含む。また、歩数計管理システム１０は、歩数計１００のユーザが電子メールを送信する外部センター１２、携帯端末１４、および監視用端末１６を含む。そして、歩数計１００、外部センター１２、携帯端末１４および監視用端末１６が、ネットワーク１８介して接続されている。
【００１６】
本発明にかかる歩数計１００は、この歩数計１００の使用者の対象となる高齢者や児童等であるユーザが携帯することにより、そのユーザに基づく情報を、日常的あるいは緊急に伝えたい相手に対し電子メールを利用して必要なときに知らせることができる端末である。図２は、歩数計１００の一実施の形態の外観を示す斜視模式図である。図３は、この発明にかかる歩数計１００の第１の実施の形態にかかる構成例を示すブロック図である。また、歩数計１００には、歩数計１００における各種設定等の管理するための管理用端末１２０が取り外し可能に接続されている。そして、図２に示すように、歩数計１００は、たとえば、直方体状のケース１０２により形成されている。
【００１７】
歩数計１００は、データ処理部２００を含む。データ処理部２００は、歩数情報処理部２１０、位置情報処理部２２０、生体情報処理部２３０、音声情報処理部２４０、判定部２５０、メール作成処理部２６０、メール受信処理部２７０、メール送信処理部２８０およびデータ記憶部２９０により構成される。
【００１８】
また、図４は、歩数計１００におけるデータ処理部２００が備えるデータ記憶部２９０の構成例を示すブロック図である。図４に示すように、データ記憶部２９０は、端末用記憶部２９０ａ、メールアドレス記憶部２９０ｂ、歩数情報記憶部２９０ｃ、位置情報記憶部２９０ｄ、生体情報記憶部２９０ｅ、文章データ記憶部２９０ｆ、音声情報記憶部２９０ｇおよび判定情報記憶部２９０ｈを含む。
【００１９】
また、歩数計１００は、ユーザの歩数を検知するための加速度センサ３００、ユーザの位置情報を測定するためのＧＰＳアンテナ３１０、ユーザからの音声情報を取得するための音声情報取得手段であるマイク３２０、ユーザが所定の携帯端末１４や監視用端末１６に対して電子メールを送信するための第１送信ボタン３３０、ユーザが所定の携帯端末１４や監視用端末１６に対して既に送信された電子メールの内容を訂正するために新たな電子メールを送信するための第２送信ボタン３４０、歩数計１００のバッテリ残量を検知するためのバッテリ残量検知部３５０、管理用端末１２０と接続するための設定用端子部３６０およびユーザの姿勢の状態を検知するために用いられる角速度センサ３７０を含み、それぞれが、データ処理部２００に接続される。さらに、歩数計１００は、ＬＥＤ部４００および表示部５００を含む。
【００２０】
さらに、歩数計１００は、ユーザの生体情報を取得するためのセンサを含み、たとえば、ユーザの脈拍数を検知するための脈拍センサ６００およびユーザの体温を測定するための温度センサ６１０を有し、それぞれが、データ処理部２００に接続される。
【００２１】
なお、歩数計１００には、プログラム等の演算処理を行うために制御するためのＣＰＵ（Ｃｅｎｔｒａｌ  Ｐｒｏｃｅｓｓｉｎｇ  Ｕｎｉｔ：中央演算処理装置）、各演算処理を実行するときに使用するプログラムである手段やデータを一時的に格納するためのＲＡＭ（Ｒａｎｄｏｍ  Ａｃｃｅｓｓ  Ｍｅｍｏｒｙ）、プログラムを記憶しているＲＯＭ（Ｒｅａｄ  Ｏｎｌｙ  Ｍｅｍｏｒｙ）、日時の情報を得るための日時情報取得機能等（いずれも図示せず）を含む。
【００２２】
歩数情報処理部２１０は、加速度センサ３００により検知されたユーザの歩数情報を処理する機能を有する。また、歩数情報処理部２１０は、処理された歩数情報を歩数情報記憶部２９０ｃに記憶するように処理する。さらに、歩数情報処理部２１０は、歩数情報記憶部２９０ｃにおいて記憶された歩数情報に基づいて、前日１日分の歩数情報を算出したり、送信前１時間分の歩数情報を算出したりし、それぞれ算出された歩数情報は、歩数情報記憶部２９０ｂに記憶するように処理する。
【００２３】
位置情報処理部２２０は、ＧＰＳアンテナ３１０により測定された緯度経度情報から地理情報に変換処理する機能を有する。また、位置情報処理部２２０は、変換処理された位置情報を位置情報記憶部２９０ｄに記憶するように処理する。さらに、位置情報処理部２２０は、位置情報記憶部２９０ｄにおいて記憶された位置情報に基づいて、前日１日分の位置情報や送信前１時間分の位置情報として、位置情報記憶部２９０ｄに記憶するように処理する。なお、位置情報処理部２２０は、位置情報を、緯度および経度のデータの組み合わせとして、位置情報記憶部２９０ｄに記憶するように処理してもよい。
【００２４】
生体情報処理部２３０は、脈拍センサ６００により測定されたユーザの脈拍数や温度センサ６１０により測定されたユーザの体温等である生体情報を処理する機能を有する。また、生体情報処理部２３０は、処理された生体情報を生体情報記憶部２９０ｅに記憶するように処理する。さらに、生体情報処理部２３０は、生体情報記憶部２９０ｅにおいて記憶された生体情報に基づいて、ユーザの前日１日分の各生体情報の平均値や送信前１時間分の各生体情報の平均値として算出するように処理され、それぞれ算出された生体情報は、生体情報記憶部２９０ｅに記憶するように処理する。
【００２５】
音声情報処理部２４０は、マイク３２０により取得された音声情報を音声情報記憶部２９０ｇに記憶可能な音声情報ファイルとして処理する機能を有する。また、音声情報処理部２４０は、処理された音声情報ファイルを音声情報記憶部２９０ｇに記憶するように処理する。
【００２６】
判定部２５０は、歩数情報、位置情報あるいは生体情報のそれぞれに対して設定されている所定の判定条件データに対して、該当するか否かを判定する機能を有する。各判定条件データは、管理用端末１２０を用いて設定され、判定情報記憶部２９０ｈに記憶される。なお、各判定条件データの詳細については、後述する。
【００２７】
メール作成処理部２６０は、第１送信ボタン３３０が押された場合、第２送信ボタン３４０が押された場合、メール受信処理部２７０において空メールを受信した場合、判定部２５０が所定の判定条件データに基づいて電子メールを送信すべきと判定した場合、あるいは定期送信が設定されている場合に起動し、電子メールを作成するために設けられる。
【００２８】
電子メールは、送信先のメールアドレス入力欄、ｓｕｂｊｅｃｔ欄（件名欄）および本文欄により構成される。
送信先のメールアドレス入力欄には、メールアドレス記憶部２９０ｂから読み出されたメールアドレスが入力されたり、また、空メールの送信元のメールアドレスとして入力されたりする。ｓｕｂｊｅｃｔ欄には、電子メールの送信内容のタイトルが記載される。また、保護者等が所持する携帯端末１４や監視用端末１６から送信される空メールのｓｕｂｊｅｃｔ欄には必要に応じて履歴用コードを記載されている。履歴用コードには、たとえば、移動履歴、歩数履歴、体温履歴あるいは脈拍数履歴等のそれぞれに対応した履歴用コードが用意されている。
電子メールの本文欄には、端末用記憶部２９０ａにおいて記憶された定期送信や緊急送信等の送信方法に応じて行われた設定に応じて、歩数情報、位置情報、生体情報、文章データ等が適宜選択され、記載される。なお、電子メールを作成する処理の動作についての詳細は、後述する。
【００２９】
メール受信処理部２７０は、保護者等が所持する携帯端末１４や監視用端末１６より歩数計１００に対して送信された空メールの受信処理をするために設けられる。歩数計１００が空メールを受信した場合は、メール作成処理部２６０にその旨が伝えられ、メール作成処理部２６０において電子メールの作成処理の機能が作動する。
【００３０】
メール送信処理部２８０は、メール作成処理部２６０において作成された電子メールを、読み出されたメールアドレス先に送信するために設けられる。また、歩数計１００が空メールを受信した場合に、その送信元に対してメール作成処理部２６０において作成された空メールに対する返信用の電子メールを送信するために設けられる。
【００３１】
端末用記憶部２９０ａには、ユーザの氏名、電子メールの送信方法の設定等が記憶される。たとえば、端末用記憶部２９０ａには、電子メールの定期送信については、そのＯＮ・ＯＦＦの設定や定期送信を何時にするか（たとえば、日、週、一日当たりの送信回数等）の設定が記憶されている。また、端末用記憶部２９０ａには、緊急送信については、空メールに対して応答して電子メールを送信するか否かの設定等が記憶されており、加えて、定期送信や緊急送信等の状況に応じて、文章データ記憶部２９０ｆにおいて記憶されているどの文章データが用いられるかの設定等も記憶されている。
【００３２】
また、端末用記憶部２９０ａには、電子メールの定期送信や緊急送信を行う場合に、電子メールの本文欄にどのような情報を記載するかの設定が記憶されている。たとえば、歩数計１００のユーザの氏名を含むか否か、位置情報を含むか否か、歩数情報（前日１日分か、送信前１時間分か等）、生体情報のうち体温情報を含むか否か、脈拍数の情報を含むか否かの設定等である。
【００３３】
メールアドレス記憶部２９０ｂは、歩数計１００のユーザが電子メールを送信する対象となる携帯端末１４、監視用端末１６あるいは外部センター１２に対するメールアドレスが記憶される。メールアドレス記憶部２９０ｂに記憶されるメールアドレスは、たとえば、管理用端末１２０に歩数計１００を接続して入力されることにより記憶される。
【００３４】
歩数情報記憶部２９０ｃは、歩数情報処理部２１０において処理されたユーザの歩数情報を記憶するために設けられる。歩数情報記憶部２９０ｃには、ユーザの前日１日分の歩数情報、送信前１時間分の歩数情報等が記憶される。
【００３５】
位置情報記憶部２９０ｄは、位置情報処理部２２０において処理されたユーザの移動履歴等を示す地理情報を記憶するために設けられる。位置情報記憶部２９０ｄには、ユーザの現在位置の位置情報を一時的に記憶する機能を含み、ユーザの前日１日分の位置情報、送信前１時間分の位置情報等が記憶される。記憶される位置情報は、テキスト情報でもよいし、地図上のポイントを提示するようにしてもよい。たとえば、位置情報記憶部２９０ｄにおいて記憶される位置情報は、緯度および経度のデータの組み合わせで記憶されてもよいし、地理情報に変換した上で記憶されてもよい。なお、位置情報記憶部２９０ｄにおける位置情報を記憶するサンプリング周期は、たとえば、１０分間隔あるいは３０分間隔で行われる。また、外部センター１２に対して位置情報を定期送信に基づいて送信する場合は、サンプリング周期がより細かいデータとして送信するようにしてもよい。
【００３６】
生体情報記憶部２９０ｅは、生体情報処理部２３０において処理されたユーザの生体情報を記憶するために設けられる。生体情報記憶部２９０ｅは、ユーザの現在の生体情報を一時的に記憶する機能を含み、ユーザの前日１日分の生体情報の平均値、送信前１時間分の生体情報の平均値等が記憶される。生体情報とは、たとえば、ユーザの脈拍数の情報や体温の情報が挙げられる。なお、生体情報記憶部２９０ｅにおける生体情報を記憶するサンプリング周期は、たとえば、１０分間隔あるいは３０分間隔で行われる。また、外部センター１２に対して生体情報を定期送信に基づいて送信する場合は、サンプリング周期がより細かいデータとして送信するようにしてもよい。
【００３７】
文章データ記憶部２９０ｆは、ユーザが電子メールを用いて保護者等に対して知らせたい内容が記載された文章データを記憶するために設けられる。文章データ記憶部２９０ｆにおいて記憶される文章データとしては、たとえば、緊急を知らせる文、無事を知らせる文、受け手に対して行動を指示する文（バッテリの充電を催促する文）あるいは定期送信や緊急送信等の送信方法ごとに対応した文等である。したがって、判定部２５０において判定された内容に適合した文章データが選択して送信できるように、それぞれの状況に応じた文章データが記憶される。この文章データは、たとえば、管理用端末１２０に歩数計１００を接続して入力されることにより記憶される。なお、文章データは、任意に作成や修正が可能であり、たとえば、管理用端末１２０を用いて作成や修正が行われる。
【００３８】
たとえば、緊急を知らせる文としては、「助けてください！」、無事を知らせる文としては、「大丈夫です！」、受け手に対して行動を指示する文（バッテリの充電を催促する文）としては、「＊＊＊＊病院に連絡してください！」あるいは「バッテリの残量が低下しています。充電をすべきことを促してください！」、緊急を知らせる文としては、「行動圏外に出ました！」あるいは「倒れているかもしれません、連絡ください！」といった文例が挙げられる。
【００３９】
音声情報記憶部２９０ｇは、音声情報処理部２４０において処理されたユーザの音声情報を音声情報ファイルとして記憶するために設けられる。音声情報記憶部２９０ｇには、ユーザがマイク３２０を通じて話されたユーザの音声情報ファイルを一時的に記憶する機能を有する。
【００４０】
判定情報記憶部２９０ｈは、判定部２５０において、歩数情報、位置情報あるいは生体情報の状況に応じて判定するための判定条件データを記憶するために設けられる。この各判定条件データは、たとえば、管理用端末１２０に歩数計を接続して入力されることにより記憶される。
【００４１】
判定情報記憶部２９０ｈにおいて記憶される判定条件データとしては、たとえば、歩数の下限値の設定、行動範囲となる規定域の設定、生体情報である体温の上限下限の設定および生体情報である脈拍数の上限下限の設定等が挙げられる。たとえば、歩数の下限値としてはその値を下回った場合に歩数情報が異常であると判定するための値として設定され、行動範囲となる規定域の設定方法としては、緯度経度を用いることによって設定することができる。
【００４２】
行動範囲となる規定域の具体的な設定方法としては、たとえば、携帯端末１４や監視用端末１６において地図を表示させておいて、矩形状の行動範囲における外側の対角をなす２点を指定し、各点における緯度および経度の情報を取得することにより、行動範囲となる規定域が設定される。歩数計１００により取得時の位置情報が、それらの緯度および経度の情報におけるそれぞれの最大値と最小値との間にあるかどうかを判定することにより、行動範囲となる規定域の外側に出たか否かが判定される。なお、行動範囲を指定する方法は、たとえば、携帯端末１４がスマートフォンの場合は、地図の表示された画面上をタッチすることにより行うことができ、監視用端末１６がＰＣの場合は、地図の表示された画面を、マウスのポインタにより指定した上でクリックすることにより指定される。
【００４３】
また、脈拍数が規定値以上の場合は、「頻脈」、脈拍数が規定値以下の場合は、「除脈」と判定される。このように、判定条件データに基づいて、判定部２５０が自動的に電子メールを作成すべきことを指示することにより、緊急送信が行われる。
【００４４】
続いて、判定情報記憶部２９０ｈに記憶される判定条件データについて、ユーザが倒れる場合についての判定条件について詳細に説明する。ユーザが倒れる場合とは、大きく分けて、ゆっくり倒れる場合と勢いよく倒れる場合の２種類が考えられる。このため、歩数計１００においては、２種類の条件設定が行われる。
【００４５】
最初に、ゆっくり倒れた場合の倒れ検出の判定条件の設定について説明する。
まず、短時間では寝ている場合と判別不可能であることから、時刻設定として、たとえば、睡眠中の時間を検出時間から外す設定が行われ、具体的には、検出する時間を８：００〜２４：００とし、それ以外の時間を検出しない時間とする。
また、加速度センサ３００、角速度センサ（ジャイロセンサ）３７０がほとんど動きを検出しない無反応時間の設定や検知レベルの設定を行う。たとえば、無反応と判断するレベルの設定とは、動き検出時間内で、動きをほとんど検出していない時間を意味し、所定の時間の間、加速度センサ３００や角速度センサ３７０で動きを検知していない場合は、ユーザが倒れて動けない時間と見なすことができる。
さらに、温度センサ６１０による体温情報に対する上限下限の閾値設定を行う。この場合、倒れた場合に適用される閾値の範囲は、通常の設定よりも狭く設定される。また、脈拍数の上限下限の閾値設定を行う。この場合も通常の設定より狭く設定される。このように、体温と脈拍数とは通常使用（熱が出た場合や頻脈、徐脈の場合）される範囲に設定しているため、倒れた場合に適用される閾値の範囲は狭く設定される。
上述したように、無反応時間、体温、脈拍数の判定条件を個別に判定し、判定部２５０は、無反応時間、体温の閾値、脈拍数の閾値のすべてにおいて判定条件が満たされると、ゆっくり倒れたとの判定を行う。換言すると、判定部２５０は、倒れていることを、動きがほとんどない無反応時間と体温と脈拍数の関係から判定する。したがって、無反応時間がある規定時間経過して体温と脈拍数が規定の範囲外の場合、ゆっくり倒れたとして歩数計１００より自動的に緊急送信として歩数計１００から電子メールが送信される。
【００４６】
次に、勢いよく倒れた場合の倒れ検出の判定条件について説明する。
ばたっと勢いよく倒れた場合、加速度センサ３００、角速度センサ３７０の最大値（通常より大きく設定）が、判定部２５０において閾値を超えたと判定された状態で、その後、加速度センサ３００がほとんど検知しない程度のレベルが規定時間継続された場合、ばたっと勢いよく倒れたと判定する。そして、加速度センサ３００、角速度センサ３７０の最大値が規定値を超えてもすぐに加速度センサが継続して検知した場合は、判定部２５０はユーザが転んだと判定するので、自動的な電子メールの緊急送信は行われない。
【００４７】
なお、以上のように、ユーザが倒れる場合について各判定条件が設定されるが、各設定値は、任意に変更可能である。
【００４８】
続いて、歩数計１００を身につけているか否かの判定条件の設定について説明する。
歩数計１００により計測される体温がたとえば突然３５℃以下、もしくは、突然脈拍数が０になった場合、また、体温条件および脈拍数条件のいずれもがその条件を満たす場合、判定部２５０は、歩数計１００を身に着けていないと判定する。なお、体温条件に関して、歩数計１００は、ズボン等の衣服のポケットに入れることを想定して、実際の体温と計測される体温を補正する必要がある。たとえば、平熱の体温３６℃と計測される人が、歩数計１００を装着したとき計測される体温が３４℃とした場合、補正係数を２℃として歩数計１００が計測する体温に２℃加えた温度を体温として処理する。したがって、この場合における計測される体温３５℃は、補正後の値である。また、判定部２５０において、低体温状態との区別は、計測される体温の変化により判定する。たとえば、判定部２５０は、突然体温が低下した場合は歩数計１００を身につけていないと判定し、徐々に下がった場合は、低体温状態であると判定する。
【００４９】
また、歩数計１００を身に着けていないと判定される場合は、倒れたと判断された場合でもメールが送信されない。たとえば、歩数計１００を身に着けている状態でズボン等の衣服を脱ぎ、着替えて就寝した場合、衣服を脱衣した時に加速度センサ３００が大きな加速度を検知することがあると考えられる。しかしながら、その大きな加速度を検知した後の体温が３５℃以下の場合は、歩数計１００を身に着けていないと判断してメール送信しない。ただし、緊急メールを送信する機能はスタンバイ状態であり、第１送信ボタン３３０を押された場合は緊急の電子メールを、空メールが送信されてきた場合も自動返信機能が作動し、電子メールを送信することができる。歩数計１００を身に着けていない場合は、生活情報から得られる情報のメール送信機能を停止する。また、体温が規定値に達すると（すなわち、歩数計１００を身に着けると）歩数情報や位置情報等から得られる情報に起因する内容でのメール送信を行うことができる状態になる。なお、上記の各設定値は、たとえば、管理用端末１２０を用いることにより、任意に変更可能である。
【００５０】
加速度センサ３００は、ユーザの歩数を計数するために設けられる。加速度センサ３００により計数された歩数情報は、歩数情報処理部２１０において処理され、計数された日時とともに歩数情報記憶部２９０ｃに記憶される。加速度センサ３００は、データ処理部２００における歩数情報処理部２１０に接続される。
【００５１】
ＧＰＳアンテナ３１０は、ユーザの位置情報を緯度経度情報として取得するために設けられる。ＧＰＳアンテナ３１０により取得された位置情報は、位置情報処理部２２０において地理情報に変換等されて処理され、処理された位置情報は、位置情報記憶部２９０ｄに記憶される。ＧＰＳアンテナ３１０は、データ処理部２００における位置情報処理部２２０に接続される。
【００５２】
マイク３２０は、ユーザが話した音声情報を取得するために設けられる。マイク３２０は、たとえば、歩数計１００のケース１０２における正面１０４の上部側に配置される。マイク３２０において取得された音声情報は、音声情報処理部２４０において歩数計１００において取得可能な情報として処理され、音声情報記憶部２９０ｇに記憶される。マイク３２０は、データ処理部２００における音声情報処理部２４０に接続される。
【００５３】
歩数計１００から電子メールを送信するためのボタンとしては、第１送信ボタン３３０および第２送信ボタン３４０を有する。本実施の形態においては、第１送信ボタン３３０を緊急に送信するためのボタンとし、第２送信ボタン３４０を大丈夫であることを通知するためのボタンとして使い分けて使用される。第１送信ボタン３３０および第２送信ボタン３４０は、たとえば、歩数計１００のケース１０２における正面１０４の中央部にそれぞれ並んで配置される。なお、第１送信ボタン３３０より第２送信ボタン３４０が小さくてもかまわない。
【００５４】
第１送信ボタン３３０は、ユーザが保護者等の所持する携帯端末１４、監視用端末１６あるいは外部センター１２に対して電子メールを送信するために設けられる。すなわち、歩数計１００のユーザが救援を必要とする状態になったとき、ユーザは、第１送信ボタン３３０を押すことで、電子メールが送信される。これにより、あらかじめ電子メールの送信先として設定された保護者等に対してユーザが緊急事態であることを通知することができる。
【００５５】
また、第２送信ボタン３４０は、ユーザが保護者等の所持する携帯端末１４、監視用端末１６あるいは外部センター１２に対して既に送信された電子メールの内容を訂正するために新たな電子メールを送信するために設けられる。すなわち、ユーザが、万が一緊急状態を通知するための第１送信ボタン３３０を誤って押してしまった場合は、第２送信ボタン３４０を押すことにより電子メールを送信することで、迅速に訂正することができる。
【００５６】
バッテリ残量検知部３５０は、歩数計１００のバッテリの残量が低下したことを検知するために設けられ、たとえば、バッテリ残量検知回路として歩数計１００に備えられている。バッテリ残量検知部３５０においてバッテリの残量が所定の閾値を越えて低下したと検知された場合には、そのことを知らせるためにメール作成処理部２６０において電子メールが作成されるように作動する処理が行われる。
【００５７】
設定用端子部３６０は、歩数計１００と管理用端末１２０とを接続するために設けられる。設定用端子部３６０は、たとえば、歩数計１００のケース１０２における底面１０６に配置される。管理用端末１２０とは、たとえば、ＵＳＢケーブルを用いて接続するように構成される。しかしながら、管理用端末１２０と管理用端末１２０との接続は、近距離通信（Ｂｌｕｅｔｏｏｔｈ（登録商標）：登録商標やＲＦＩＤ等）やワイヤレスＵＳＢ等の無線技術を用いて接続されるようにしてもよい。
【００５８】
角速度センサ３７０は、ユーザの姿勢の状態を検知するために設けられ、たとえば、ジャイロセンサが用いられる。角速度センサ３７０において検知されたユーザの姿勢の状態の情報は、たとえば、判定部２５０における倒れたか否かを検知するための処理において利用される。
【００５９】
表示ボタン３８０は、表示部５００において表示される歩数情報、生体情報あるいは時刻などの表示される情報を切り替えるために設けられる。たとえば、表示ボタン３８０が押されるたびに、「歩数情報」、「生体情報」、「時刻」…、と、順に切り替わるように設定される。また、後述するように、表示部５００は、消費電力を抑えるために、所定の時間経過するとオフ状態とするが、表示ボタン３８０は、オフ状態からオン状態に切り替えるために設けられる。この表示ボタン３８０は、たとえば、歩数計１００のケース１０２における側面１０８に配置される。
【００６０】
表示ＬＥＤ４００は、送信用ＬＥＤ４１０およびバッテリ状態表示用ＬＥＤ４２０を含む。送信用ＬＥＤ４１０は、電子メールを送信している場合に点灯するように設けられる。送信用ＬＥＤ４１０を用いて、実際に歩数計１００から電子メールが送信されていることをユーザに対して知らせることができる。また、バッテリ状態表示用ＬＥＤ４２０は、歩数計１００のバッテリの残量が残っている場合に点灯する。バッテリ状態表示用ＬＥＤ４２０は、残量が低下してくると、バッテリ状態表示用ＬＥＤ４２０の明度が低下することで、ユーザに対してバッテリの残量を知らせることができる。送信用ＬＥＤ４１０およびバッテリ状態表示用ＬＥＤ４２０は、たとえば、歩数計１００のケース１０２における正面１０４の上部側に並んで配置される。
【００６１】
表示部５００は、歩数計１００により計数された歩数情報や生体情報等が表示される。表示部５００は、たとえば、歩数計１００のケース１０２における正面１０４の下部側に配置される。表示部５００は、たとえば、液晶パネルにより構成される。表示５００には、時計としての機能や歩数計としての機能による時刻や歩数を表示することができ、この歩数計１００のユーザに対して、電子メールの送信機であるといった意識をさせることなしに使用してもらうことができる。また、表示部５００に表示される情報は、消費電力を抑えるために、所定の時間経過するとオフ状態となる。
【００６２】
脈拍センサ６００は、ユーザの脈拍を測定するために設けられる。脈拍センサ６００は、ユーザの脈拍を検知できる位置に配置される。図２においては、脈拍センサ６００は、歩数計１００のケース１０２における角部１１０に配置され、歩数計１００と一体となるように設けられる。脈拍センサ６００により計測された脈拍情報は、生体情報処理部２３０において処理され、生体情報記憶部２９０ｅに記憶される。脈拍センサ６００は、データ処理部２００における生体情報処理部２３０に接続される。
【００６３】
温度センサ６１０は、ユーザの体温を測定するために設けられる。温度センサ６１０は、ユーザの体温を検知できる位置に配置される。図２においては、温度センサ６１０は、歩数計１００のケース１０２における角部１１０に配置され、歩数計１００と一体となるように設けられる。温度センサ６１０により計測された体温情報は、生体情報処理部２３０において処理され、生体情報記憶部２９０ｅに記憶される。温度センサ６１０は、データ処理部２００における生体情報処理部２３０に接続される。
【００６４】
また、図５は、この発明にかかる歩数計の他の実施の形態の外観を示す斜視模式図であり、（ａ）は図２に示す歩数計とは異なる角部に脈拍センサおよび温度センサを設けており、（ｂ）は歩数計の端縁部に脈拍センサおよび温度センサを設けており、（ｃ）は（ｂ）に示す歩数計とは異なる端縁部に温度センサを設けている。図５（ａ）に示す歩数計１００’は、図２に示す歩数計１００と異なる角部１１０に脈拍センサ６００および温度センサが配置されている。また、図５（ｂ）に示す歩数計１００’’および（ｃ）に示す歩数計１００’’’では、脈拍センサ６００および温度センサ６１０が、それぞれ、ケース１０２の端縁部１１２に配置されている。なお、脈拍センサ６００および温度センサ６１０により、生体情報を取得し易いようにするために、ケース１０２の角部１１０あるいは端縁部１１２に配置されるが、このように生体情報を取得し易い位置に配置すると、身体以外のところにも接触する機会が増加することとなる。このため、脈拍センサ６００および温度センサ６１０における検知部分は、金属状のものでコーティングを施すか、あるいは接触に対して強い素材のものが選択されるのが好ましい。
【００６５】
また、この発明にかかる歩数計のさらに他の実施の形態として、図示しないが、生体情報である脈拍数を計測する脈拍センサ６００あるいは体温を測定する温度センサ６１０が、歩数計１００の裏表面に配置されていてもよい。そうすることで、歩数計１００をズボン等の衣服のポケットに入れたとき、歩数計１００において、どちらの向き（表面、裏面）でも体温や脈拍数を計測することができる。
【００６６】
外部センター１２は、少なくとも電子メールを受信できる機能を有する。また、外部センター１２は、歩数計１００における記憶容量よりも大きな記憶容量を有する。外部センター１２は、ＧＰＳアンテナ３１０により検知され、位置情報記憶部２９０ｄにおいて記憶されている緯度経度情報を含む位置情報に基づいて、地図にマッピングし、携帯端末等に表示させるための機能も有する。また、外部センター１２は、送信された位置情報に基づいて住所を検索し、検索された住所を端末に送り返すようにする機能も有する。そうすることで、住所情報の内容について更新された場合（たとえば、住所表記の変更や市町村の統廃合等がされた場合）、歩数計１００に住所情報のデータベースを含むよりも最新の住所情報を提供することができる。さらに、外部センター１２は、生体情報を記憶する機能も有する。そして、外部センター１２に記憶される位置情報や生体情報は、歩数計１００に記憶される位置情報や生体情報よりもサンプリング周期の短い情報として記憶する機能も有する。そして、記憶された位置情報や生体情報は、携帯端末１４や監視用端末１６からアクセスされることにより閲覧できるような機能を有する。
【００６７】
携帯端末１４および監視用端末１６は、少なくとも歩数計１００からの電子メールを送受信できる機能を有する。携帯端末１４は、たとえば、携帯電話やスマートフォン等が用いられ、監視用端末１６は、たとえば、パソコンが用いられる。
【００６８】
管理用端末１２０は、歩数計１００とＵＳＢケーブル等を用いて接続することで、歩数計１００の端末用記憶部２９０ａに記憶される条件や、判定情報記憶部２９０ｈに記憶される判定条件データの各条件を設定するための端末である。さらに、管理用端末１２０は、文章データ記憶部２９０ｆにおいて記憶される文章データを作成したり修正したりするための端末である。なお、管理用端末１２０と歩数計１００との接続は、近距離通信（Ｂｌｕｅｔｏｏｔｈ（登録商標）：登録商標やＲＦＩＤ等）やワイヤレスＵＳＢ等の無線技術を用いて接続される。管理用端末１２０としては、設定用のアプリケーションがインストールされている端末であれば、パソコン、携帯端末あるいはスマートフォン等の端末を用いてもよい。
【００６９】
この第１の実施の形態にかかる歩数計１００によれば、高齢者や幼児等の複雑な機械操作を不得意としている人が使用しやすく、さらには緊急事態に複雑な操作をすることが難しくなるような緊急事態の状態となった場合に、第１送信ボタン３３０を押すだけで、容易に記憶されているメールアドレスに対して予め記憶された文章データから状況に応じて適切な文章データが選択され、その内容に基づいて緊急事態を知らせる電子メールを保護者等が所持する端末等に対して一斉に送信することができる。
【００７０】
また、この第１の実施の形態にかかる歩数計１００によれば、位置情報あるいは生体情報に基づいて歩数計１００から複数の電子メールが送信されることから、送信先の保護者等が所持する端末等に対して、危機的な状態であることを知らせることができる。たとえば、１日当たりの歩数の下限値、倒れた状態のメール送信、体温が高くなった場合のメール送信等、複数のメールが送信されることにより、より危機的な状態であることを把握させることができる。また、位置情報の通常生活圏外のメールが送信され、生活情報の体温が高くなった場合のメールが送信され、倒れた状態のメールが送信された時、より危機的な状態であることを知らせることができる。
【００７１】
さらに、この第１の実施の形態にかかる歩数計１００によれば、歩数計１００がユーザの音声情報を記憶することを可能とし、歩数計１００のユーザの声を容易に届けることができる機能を設けているので、歩数計１００のユーザに対しても安心感を与えることができる。また、第１送信ボタン３３０を押すだけで、保護者等に対して情報が正確に届いているかどうかが不安と感じる高齢者に対しても、直接的に音声を入力し、届けているという安心感を与えることができる。
【００７２】
また、この第１の実施の形態にかかる歩数計１００によれば、歩数情報について、１日の歩数が下限値を所定の期間下回った場合に、自動的に記憶されたメールアドレスに対する保護者等が所持する端末に電子メールを一斉に緊急送信することにより、知らせることができる。そうすると、１人暮らしの高齢者の孤独死等に対して対策を講じることができる。
【００７３】
さらに、この第１の実施の形態にかかる歩数計１００によれば、位置情報について、行動範囲に緯度経度の制限を設け、範囲外にユーザが移動した場合、自動的に記憶されたメールアドレスに対する保護者等に電子メールを一斉に送信し、知らせることができる。そうすると、歩数計１００のユーザが、生活圏内から外れた場合のお知らせ、児童や幼児が連れ去られることを監視することができる。
【００７４】
また、この第１の実施の形態にかかる歩数計１００によれば、生体情報について、脈拍数、体温等の生体情報を記憶し、送信することができ、また、生体情報に異常がみられた場合にも電子メールを送信することにより知らせることができる。たとえば、脈拍数が規定値以上の場合は、「頻脈」、脈拍数が規定値以下の場合は、「除脈」として、自動的に記憶されたメールアドレスに対する保護者等に電子メールを一斉に送信し、知らせることができる。このような状況において電子メールを送信する場合、体温が高い場合は、文章データとして、「熱があります！」、体温が低い場合は、「低体温状態です！」のような文章データが電子メールの本文欄に記載され、送信される。そうすることで、ユーザの生体情報に異常が見られた場合に、迅速に、保護者等にユーザのその状況を知らせることができる。
【００７５】
また、この第１の実施の形態にかかる歩数計１００によれば、脈拍センサ６００および温度センサ６１０が、歩数計１００のケース１０２における角部１１０あるいは端縁部１１２に設けられているので、ユーザがこの歩数計１００を携帯した場合に身体に接し易くなり、精度よく生体情報を取得することができる。
【００７６】
さらに、この第１の実施の形態にかかる歩数計１００によれば、歩数計１００のバッテリ残量が低下した場合、その旨を保護者等に対して知らせることができるので、ユーザに対して、充電を促すことができる。
【００７７】
また、この第１の実施の形態にかかる歩数計１００によれば、外部センター１２に対して電子メールを送信することができるので、たとえば、保護者等が、位置情報等について、地図上にマッピングされた状態でユーザの位置を知ることができる。また、歩数計管理システム１０において、外部センター１２を利用することで、地図情報の更新を容易に行うことができる。すなわち、住所表記が変更になったため、地図データを変更する必要が生じた場合、歩数計１００でこの更新を行うとすると歩数計１００に地図データの更新情報のすべてをダウンロードしなければならなくなるところ、外部センター１２で住所変換を行う場合は、外部センター１２において記憶される地図データのみを更新することにより、最新の住所表記により表示することができる。さらに、外部センター１２は、歩数計１００に比べて記憶容量を多く持たせることができるので、位置情報や生体情報を記憶させるサンプリング周期を短く設定し、細やかなデータ蓄積を可能とすることができる。したがって、携帯端末１４あるいは監視用端末１６から、ユーザの地図上の移動履歴を確認する場合、細かな移動情報を得ることができる。また、携帯端末１４あるいは監視用端末１６から外部センター１２に対しアクセスすれば必要な情報を手に入れることが可能であることから、歩数計１００に対して負荷をかけることがない。
【００７８】
次に、第１の実施の形態にかかる歩数計１００の動作について、図６ないし図１３を参照して説明する。
【００７９】
（電子メール送信処理）
ユーザが歩数計１００から保護者等の所持する携帯端末１４（１４ａ，１４ｂ）、監視用端末１６（１６ａ，１６ｂ）あるいは外部センター１２に対して第１送信ボタン３３０が押されることにより自動的に電子メールを作成し、送信する処理について説明する。図６は、歩数計１００から電子メールを送信するときの処理動作を示す一実施例のフローチャートである。
【００８０】
まず、ユーザが電子メールの送信を行う必要が生じた場合、そのユーザにより歩数計１００の第１送信ボタン３３０が押される（ステップＳ１０）。すると、歩数計１００のメール作成処理部２６０における電子メール作成機能が作動する（ステップＳ１１）。続いて、メールアドレス記憶部２９０ｂからメールアドレスが読み出される（ステップＳ１２）。次に、順に、位置情報記憶部２９０ｄに記憶された位置情報が読み出され（ステップＳ１３）、歩数情報記憶部２９０ｃに記憶された歩数情報が読み出され（ステップＳ１４）、生体情報記憶部２９０ｅに記憶された生体情報が読み出される（ステップＳ１５）。続いて、文章データ記憶部２９０ｆに記憶された文章データが読み出される（ステップＳ１６）。そして、読み出された歩数情報、読み出された位置情報、読み出された生体情報および読み出された文章データに基づいて、電子メールが作成され（ステップＳ１７）、ステップＳ１２において読み出されたメールアドレス先に一斉に電子メールを送信する（ステップＳ１８）。
【００８１】
図７に、歩数計１００から送信される電子メールに記載される内容例を示す。図７は、 “ハネロン太郎”という歩数計１００のユーザ名である電子メールの送信者名、位置情報として“現在地  京都府京都市＊＊＊＊＊  番地”という送信者の現在地を示す情報、歩数情報として“歩数情報  ここ１時間の歩数  ５３２歩”として直近1時間の歩数を示し、次に、“昨日１日の歩数  ４５３９歩”として昨日の歩数情報を表示されている例である。これにより、歩数計１００のユーザの生活情報を得ることができる。すなわち、図７に示す例では、歩数情報と位置情報とが表示されている。このように、上述した歩数計１００の動作では、歩数情報や位置情報に限らず、生体情報や文章データも読み出され、電子メールの本文に記載されているが、この本文に記載される情報は、任意に選択可能である。したがって、端末用記憶部２９０ａに記憶される設定条件によって歩数情報のみが読み出される場合もあるし、位置情報のみが読み出される場合もある。なお、このことは、以下に説明される歩数計１００についての動作についても同様である。
【００８２】
（空メールの受信処理）
保護者等が所持する端末から送信された空メールを歩数計１００が受信したときの処理について説明する。図８ａは、歩数計１００が空メールを受信したときの処理動作を示す一実施例のフローチャートであり、図８ｂは、歩数計１００が受信したｓｕｂｊｅｃｔ欄において履歴用コードが記載されていた場合の処理動作を示す一実施例のフローチャートである。
【００８３】
まず、保護者等が所持する携帯端末１４あるいは監視用端末１６から空メールが送信される（ステップＳ２０）。そうすると、歩数計１００がその空メールを受信する（ステップＳ２１）。そして、歩数計１００におけるメール受信処理部２７０は、空メールのｓｕｂｊｅｃｔ欄に履歴用コードが記載されているか否かのチェックが行われる（ステップＳ２２）。ｓｕｂｊｅｃｔ欄に履歴用コードの記載がない場合、歩数計１００におけるメール作成処理部２６０における電子メール作成機能が作動する（ステップＳ２３）。続いて、順に、位置情報記憶部２９０ｄに記憶された位置情報が読み出され（ステップＳ２４）、歩数情報記憶部２９０ｃに記憶された歩数情報が読み出され（ステップＳ２５）、生体情報記憶部２９０ｅに記憶された生体情報が読み出される（ステップＳ２６）。続いて、文章データ記憶部２９０ｆに記憶された文章データが読み出される（ステップＳ２７）。次に、メール作成処理部２６０は、空メールの送信元を電子メールの送信先に変換し、空メールにおける送信先を電子メールの送信元に変換する（ステップＳ２８）。そして、読み出された歩数情報、読み出された位置情報、読み出された生体情報および読み出された文章データに基づいて、電子メールが作成され（ステップＳ２９）、空メールの送信元のメールアドレスに電子メールを送信する（ステップＳ３０）。最後に、空メールの送信元の携帯端末１４あるいは監視用端末１６が電子メールを受信する（ステップＳ３１）。
【００８４】
一方、ステップＳ２２において、空メールのｓｕｂｊｅｃｔ欄に履歴用コードが記載されている場合、歩数情報に対応する履歴用コードが記載されているか否かがチェックされる（ステップＳ３２）。歩数情報に対応する履歴用コードが記載されている場合は、歩数計１００におけるメール作成処理部２６０における電子メール作成機能が作動し、（ステップＳ３３）、歩数情報に対応する履歴用コードが記載されていなければ、位置情報に対応する履歴用コードが記載されているか否かがチェックされる（ステップＳ３５）。そして、歩数情報記憶部２９０ｃに記憶された歩数情報が読み出され（ステップＳ３４）、続いて、文章データ記憶部２９０ｆに記憶された文章データが読み出される（ステップＳ２７）。
【００８５】
また、位置情報に対応する履歴用コードが記載されている場合は、歩数計１００におけるメール作成処理部２６０における電子メール作成機能が作動し、（ステップＳ３６）、位置情報に対応する履歴用コードが記載されていなければ、生体情報に対応する履歴用コードが記載されているか否かがチェックされる（ステップＳ３８）。そして、位置情報記憶部２９０ｄに記憶された位置情報が読み出され（ステップＳ３７）、続いて、文章データ記憶部２９０ｅに記憶された文章データが読み出される（ステップＳ２７）。
【００８６】
さらに、生体情報に対応する履歴用コードが記載されている場合は、歩数計１００におけるメール作成処理部２６０における電子メール作成機能が作動し、（ステップＳ３９）、生体情報に対応する履歴用コードが記載されていなければ、通常の歩数計１００におけるメール作成処理部２６０における電子メール作成機能が作動する（ステップＳ２３）。そして、生体情報記憶部２９０ｅに記憶された生体情報が読み出され（ステップＳ４０）、続いて、文章データ記憶部２９０ｆに記憶された文章データが読み出される（ステップＳ２７）。
【００８７】
（音声情報を含む電子メール送信処理）
ユーザが歩数計１００から保護者等の所有する携帯端末１４（１４ａ，１４ｂ）、監視用端末１６（１６ａ，１６ｂ）あるいは外部センター１２に対して音声情報を含む電子メールを送信する処理について説明する。図９は、歩数計１００から音声情報を含む電子メールを送信するときの処理動作を示す一実施例のフローチャートである。
【００８８】
まず、ユーザが音声情報を含む電子メールの送信を行う必要が生じた場合、そのユーザにより第１送信ボタン３３０が押される（ステップＳ４０）。所定時間、第１送信ボタン３３０が押された場合、歩数計１００は録音可能状態となり、そのユーザがマイク３２０に向かって伝えたい内容を話す（ステップＳ４１）。そうすると、マイク３２０を介して音声情報処理部２４０により処理され音声ファイルが作成されて、音声情報記憶部２９０ｇに記憶される（ステップＳ４２）。そして、歩数計１００におけるメール作成処理部２６０における電子メール作成機能が作動する（ステップＳ４３）。続いて、メールアドレス記憶部２９０ｂからメールアドレスが読み出される（ステップＳ４４）。次に、順に、位置情報記憶部２９０ｄに記憶された位置情報が読み出され（ステップＳ４５）、歩数情報記憶部２９０ｃに記憶された歩数情報が読み出され（ステップＳ４６）、生体情報記憶部２９０ｅに記憶された生体情報が読み出される（ステップＳ４７）。続いて、文章データ記憶部２９０ｆに記憶された文章データが読み出される（ステップＳ４８）。次に、音声情報記憶部２９０ｇに記憶された音声情報ファイルが読み出される（ステップＳ４９）。そして、読み出された歩数情報、読み出された位置情報、読み出された生体情報、読み出された文章データおよび読み出された音声情報ファイルに基づいて、電子メールが作成され（ステップＳ５０）、ステップＳ４４において読み出されたメールアドレス先に一斉に電子メールを送信する（ステップＳ５１）。
【００８９】
このように、歩数計１００は、ユーザの音声を音声情報ファイルとして記憶することを可能とし、歩数計１００のユーザの声を電子メールに添付することで、容易に送信することができる機能を設けていることから、歩数計１００のユーザに対しても安心感を与えることができる。また、第１送信ボタン３３０を押しただけで、保護者等に対して情報が正確に届いているかどうかについて不安と感じる高齢者に対しても、直接的に音声を入力し、届けているという安心感を与えることができる。
【００９０】
（歩数情報に基づく緊急メール送信処理）
歩数計１００の判定部２５０における歩数情報に基づいて、自動的に緊急に電子メールを送信する処理について説明する。図１０は、歩数計１００から自動的に緊急に歩数情報に基づく電子メールを送信するときの処理動作を示す一実施例のフローチャートである。
【００９１】
判定部２５０において歩数情報に異常があると判定された場合（ステップＳ７０）、歩数計１００は、自動的に歩数計１００におけるメール作成処理部２６０における電子メール作成機能が作動する（ステップＳ７１）。続いて、メールアドレス記憶部２９０ｂからメールアドレスが読み出される（ステップＳ７２）。次に、歩数情報記憶部２９０ｃに記憶された歩数情報が読み出され（ステップＳ７３）、文章データ記憶部２９０ｆに記憶された文章データが読み出される（ステップＳ７４）。そして、読み出された歩数情報および読み出された文章データに基づいて、電子メールが作成され（ステップＳ７５）、ステップＳ７２において読み出されたメールアドレス先に一斉に電子メールを送信する（ステップＳ７６）。
【００９２】
このように、歩数計１００によれば、たとえば、１日の歩数が下限値を所定の期間を下回った等の歩数情報に異常があった場合に、電子メールを保護者等に対して一斉に送信し、知らせることができるので、１人暮らしの高齢者の孤独死等に対して対策を講じることができる。
【００９３】
（位置情報に基づく緊急メール送信処理）
歩数計１００の判定部２５０における位置情報に基づいて、自動的に緊急に電子メールを送信する処理について説明する。図１１は、歩数計１００から自動的に緊急に位置情報に基づく電子メールを送信するときの処理動作を示す一実施例のフローチャートである。
【００９４】
判定部２５０において設定された規定域外に移動したと判定された場合（ステップＳ８０）、歩数計１００は、自動的に歩数計１００におけるメール作成処理部２６０における電子メール作成機能が作動する（ステップＳ８１）。続いて、メールアドレス記憶部２９０ｂからメールアドレスが読み出される（ステップＳ８２）。次に、位置情報記憶部２９０ｄに記憶された位置情報が読み出され（ステップＳ８３）、文章データ記憶部２９０ｆに記憶された文章データが読み出される（ステップＳ８４）。そして、読み出された歩数情報および読み出された文章データに基づいて、電子メールが作成され（ステップＳ８５）、ステップＳ８２において読み出されたメールアドレス先に一斉に電子メールを送信する（ステップＳ８６）。
【００９５】
このように、歩数計１００によれば、行動範囲に緯度経度により制限を設け、規定域外にユーザが移動した場合、電子メールを保護者等に一斉に送信し、知らせることができるので、歩数計１００のユーザが、生活圏内から外れた場合に知らせることができ、また、ユーザである児童や幼児等が連れ去られることを監視することができる。
【００９６】
（生体情報に基づく緊急メール送信処理）
歩数計１００の判定部２５０における生体情報に基づいて、自動的に緊急に電子メールを送信する処理について説明する。図１２は、歩数計１００から自動的に緊急に生体情報に基づく電子メールを送信するときの処理動作を示す一実施例のフローチャートである。
【００９７】
判定部２５０において生体情報に異常があるか、あるいは倒れたと判定された場合（ステップＳ９０）、歩数計１００は、自動的に歩数計１００におけるメール作成処理部２６０における電子メール作成機能が作動する（ステップＳ９１）。続いて、メールアドレス記憶部２９０ｂからメールアドレスが読み出される（ステップＳ９２）。次に、生体情報記憶部２９０ｅに記憶された生体情報が読み出され（ステップＳ９３）、文章データ記憶部２９０ｆに記憶された文章データが読み出される（ステップＳ９４）。そして、読み出された歩数情報および読み出された文章データに基づいて、電子メールが作成され（ステップＳ９５）、ステップＳ９２において読み出されたメールアドレス先に一斉に電子メールを送信する（ステップＳ９６）。
【００９８】
このように、歩数計１００によれば、生体情報について、脈拍数、体温等の生体情報を記憶し、送信することができ、また、生体情報に異常がみられた場合にも電子メールを保護者等に一斉に送信することにより知らせることができる。
【００９９】
（バッテリ残量に基づく緊急メール送信処理）
歩数計１００の判定部２５０における歩数情報に基づいて、自動的に緊急に電子メールを送信する処理について説明する。図１３は、歩数計１００から自動的に緊急にバッテリ残量に基づく電子メールを送信するときの処理動作を示す一実施例のフローチャートである。
【０１００】
バッテリ残量検知部３５０においてバッテリ残量が低下したと検知された場合（ステップＳ１００）、歩数計１００は、自動的に歩数計１００におけるメール作成処理部２６０における電子メール作成機能が作動する（ステップＳ１０１）。続いて、メールアドレス記憶部２９０ｂからメールアドレスが読み出される（ステップＳ１０２）。次に、文章データ記憶部２９０ｆに記憶された文章データが読み出される（ステップＳ１０３）。そして、読み出された歩数情報および読み出された文章データに基づいて、電子メールが作成され（ステップＳ１０４）、ステップＳ１０２において読み出されたメールアドレス先に一斉に電子メールを送信する（ステップＳ１０５）。
【０１０１】
このように、歩数計１００は、歩数計１００のバッテリ残量が低下した場合、その旨を保護者等に対して知らせることができるので、ユーザに対して、充電を促すことができる。
【０１０２】
次に、この発明にかかる歩数計１００の第２の実施の形態について説明する。図１４は、この発明にかかる歩数計１００の第２の実施の形態にかかる構成例を示すブロック図である。図３において示される歩数計１００の第１の実施の形態にかかる構成例のブロック図と異なる構成は、位置情報処理部２２０’の構成である。また、携帯端末１４（１４ａ，１４ｂ）および監視用端末（１６ａ，１６ｂ）の構成が異なる。その他の構成については、第１の実施の形態にかかる歩数計１００の構成例と同一の構成であるので、説明を省略する。
【０１０３】
歩数計１００の第２の実施の形態にかかる位置情報処理部２２０’は、ＧＰＳアンテナ３１０により測定された緯度経度情報を入力し、位置情報記憶部２９０ｄに記憶するように処理する機能を有する。位置情報記憶部２９０ｄには、緯度経度情報と測定された時間とが対応付けられて記憶される。このように、歩数計１００の第２の実施の形態にかかる位置情報記憶部２９０ｄでは、地理情報に変換する前の位置情報が記憶される。さらに、位置情報処理部２２０’は、位置情報記憶部２９０ｄにおいて記憶された緯度経度情報に基づいて、前日１日分の緯度経度情報や送信前１時間分の緯度経度情報として、位置情報記憶部２９０ｄに記憶するように処理する。
【０１０４】
携帯端末１４（１４ａ，１４ｂ）および監視用端末１６（１６ａ，１６ｂ）は、歩数計１００からの電子メールを送受信できる機能を有する。また、携帯端末１４（１４ａ，１４ｂ）および監視用端末１６（１６ａ，１６ｂ）は、歩数計１００から送信されてきた電子メールの内容である緯度経度情報に基づいて位置情報として住所情報に変換する機能を有する。さらに、携帯端末１４（１４ａ，１４ｂ）および監視用端末１６（１６ａ，１６ｂ）は、歩数計１００から送信されてきた電子メールの内容である緯度経度情報および緯度経度を測定した日時から得られる移動の移動履歴情報から地図上に表示する機能を有するとともに、表やグラフを用いて移動履歴を表示する機能を有する。詳細については、後述する。
【０１０５】
第２の実施の形態にかかる歩数計１００は、第１の実施の形態にかかる歩数計１００と同様の効果を奏するとともに、以下の効果を奏する。
すなわち、第２の実施の形態にかかる歩数計１００によれば、歩数計１００において、緯度経度情報、歩数情報および生体情報のうちの少なくとも一つを収集し、そして記憶を行い、携帯端末１４（１４ａ，１４ｂ）あるいは監視用端末１６（１６ａ，１６ｂ）において、歩数計１００により送信された電子メールの内容に基づいて各端末のディスプレイに表示する処理を行うことから、歩数計１００と携帯端末１４（１４ａ，１４ｂ）あるいは監視用端末１６（１６ａ，１６ｂ）とで行う処理を分担することができるため、歩数計１００の電力の消費を抑制することができる。
【０１０６】
次に、第２の実施の形態にかかる歩数計１００の動作について図１５および図２０を参照して説明する。
【０１０７】
（電子メール送信処理）
ユーザが歩数計１００から保護者等の所持する携帯端末１４（１４ａ，１４ｂ）および監視用端末１６（１６ａ，１６ｂ）に対して第１送信ボタン３３０が押されることにより自動的に電子メールを作成し、送信する処理について説明する。図１５は、歩数計１００から電子メールを送信するときの処理動作を示す一実施例のフローチャートである。
【０１０８】
まず、ユーザが電子メールの送信を行う必要が生じた場合、そのユーザにより歩数計１００の第１送信ボタン３３０が押される（ステップＳ１１０）。すると、歩数計１００のメール作成処理部２６０における電子メール作成機能が作動する（ステップＳ１１１）。続いて、メールアドレス記憶部２９０ｂからメールアドレスが読み出される（ステップＳ１１２）。次に、順に、位置情報記憶部２９０ｄに記憶された緯度経度情報が読み出され（ステップＳ１１３）、歩数情報記憶部２９０ｃに記憶された歩数情報が読み出され（ステップＳ１１４）、生体情報記憶部２９０ｃに記憶された生体情報が読み出される（ステップＳ１１５）。続いて、読み出された緯度経度情報、読み出された歩数情報および読み出された生体情報に基づいて、たとえば、図１６（ａ）ないし（ｂ）に示すような電子メールが作成され（ステップＳ１１７）、ステップＳ１１２において読み出されたメールアドレス先に一生に電子メールを送信する（ステップＳ１１８）。
【０１０９】
ここで、図１６に、第２の実施の形態にかかる歩数計１００から送信される電子メールに記載される構成例を示す。図１６（ａ）は、緯度経度情報、ここ一時間の歩数情報および昨日１日の歩数情報について、一括読出しがされた場合の構成例を示している。ここで、各情報に対応して記載されている「ａ」、「ｂ」および「ｃ」は、識別記号である。すなわち、図１６（ａ）においては、識別記号「ａ」に対応して、緯度経度情報、緯度経度が測定された時間が示され、識別記号「ｂ」に対応して、ここ１時間の歩数が数字で示され、識別記号「ｃ」に対応して、昨日１日の歩数が数字で表示されている例である。
図１６（ｂ）は、移動履歴付きの場合の構成例であり、識別記号「ａ」に対応して、緯度経度情報および緯度経度が測定された時間の構成の一例を示す。
また、図１６（ｃ）は、図１６（ｂ）と同様に移動履歴付きの場合の構成であり、識別記号「ａ」に対応して、緯度経度情報および緯度経度が測定された時間の構成の他の例を示す。
なお、図１６（ｂ）および（ｃ）に示すように、移動履歴付きの場合の電子メールの構成は、緯度経度情報とともに、緯度経度が測定された時間が対応づけられて、それぞれが同一行に示される。なお、識別記号は、任意に設定することができ、各情報の構成も任意に設定することができる。緯度経度、日時等は、図１６（ｂ）に示すように「，」で区切られて表すようにしてもよいし、図１６（ｃ）に示すように「／」で区切られて表すようにしてもよいし、他の方法で、緯度経度、日時等を区別できる方法により表すようにしてもよい。
【０１１０】
続いて、図１６（ａ）ないし（ｃ）に示すような構成をした電子メールを受信した携帯端末１４（１４ａ，１４ｂ）および監視用端末１６（１６ａ，１６ｂ）は、緯度経度情報を住所情報に変換する処理を行う。また、携帯端末１４（１４ａ，１４ｂ）あるいは監視用端末１６（１６ａ，１６ｂ）のユーザが操作を行うことにより、歩数計１００のユーザに関する情報を適宜所望の形式により各端末のディスプレイに歩数計１００のユーザの基本情報を表示することができる。ここで、基本情報とは、たとえば、歩数履歴情報、移動履歴情報および生体情報のうちの少なくとも１つである。また、移動履歴情報とは、緯度経度情報をその緯度経度を測定した日時とともに時系列に記憶された情報である。
【０１１１】
携帯端末１４（１４ａ，１４ｂ）および監視用端末１６（１６ａ，１６ｂ）のディスプレイには、たとえば、図７および図１７ないし図１９に示すような形式により歩数履歴情報や移動履歴情報が表示される。図１７は、この発明にかかる歩数計１００から送信される電子メールに基づいて携帯端末１４（１４ａ，１４ｂ）や監視用端末１６（１６ａ，１６ｂ）に表示される歩数履歴情報を表形式により表示した例を示す図である。図１８は、この発明にかかる歩数計１００から送信される電子メールに基づいて携帯端末１４（１４ａ，１４ｂ）や監視用端末１６（１６ａ，１６ｂ）に表示される歩数履歴情報をグラフ形式により表示した例を示す図である。図１９は、この発明にかかる歩数計１００から送信される電子メールに基づいて携帯端末１４（１４ａ，１４ｂ）や監視用端末１６（１６ａ，１６ｂ）に表示される移動履歴情報を地図形式により表示した例を示す図である。
【０１１２】
図７は、文章形式による表示である。図７に示す表示形式では、緯度経度情報が位置情報として住所情報に変換されるとともに、ここ１時間の歩数情報と昨日１日の歩数情報が表示されている。たとえば、図１６（ａ）に示すような電子メールを携帯端末１４（１４ａ，１４ｂ）あるいは監視用端末１６（１６ａ，１６ｂ）が受信した場合に、図７に示すような表示形式により各端末に表示することができる。
図１７は、表形式による表示である。図１７に示す表示形式では、左の欄に日付の情報が示され、右の欄にその日付における１日分の歩数情報が示される。
図１８は、グラフ形式による表示である。図１８に示す表示形式では、横軸に日付が示され、縦軸にその日付における１日分の歩数情報に対応した位置にプロットされることで折れ線グラフとして示される。
【０１１３】
図１９は、地図形式による表示である。図１９に示す表示形式では、任意の期間内における移動履歴が端末の表示領域Ｍに表示される地図上に表示される。たとえば、図１６（ｂ）に示すような電子メールを携帯端末１４（１４ａ，１４ｂ）あるいは監視用端末１６（１６ａ，１６ｂ）が受信した場合に、図１９（ａ）ないし（ｃ）に示すような表示形式により各端末の表示領域Ｍに表示することができる。
【０１１４】
図１９（ａ）は、表示領域Ｍに表示される地図上に、測位地点Ｐ１〜Ｐ５が○（白丸）でプロットされており、最後の測位地点として、最終地点ＰENDが○（白丸）でプロットされている状態が表示されている。そして、各測位地点Ｐ１〜Ｐ５の間には、各移動経路Ｒ１〜Ｒ５が破線のベクトルにより表示されている。この表示形式によれば、歩数計１００のユーザが、どのように地図上を移動していったか、あるいは最終的に、歩数計１００のユーザが地図上のどの地点に存在するかを一目で把握することができる。
【０１１５】
また、図１９（ｂ）は、表示領域Ｍに表示される地図上に、測位地点Ｐ１〜Ｐ５が○（白丸）でプロットされており、最後の測位地点として、最終地点ＰENDが●（黒丸）でプロットされている状態が表示されている。そして、各測位地点Ｐ１〜Ｐ５の間には、各移動経路Ｒ１〜Ｒ５が破線の直線により表示されている。この表示形式であっても、歩数計１００のユーザが、どのように地図上を移動して、最終的に地図上のどの地点に存在するかを一目で把握することができる。
【０１１６】
さらに、図１９（ｃ）は、表示領域Ｍに表示される地図上に、最後の測位地点として、最終地点ＰENDのみが○（白丸）でプロットされている状態が表示されている。そして、ユーザの全体の移動経路ＲALLが破線の折れ線により表示されている。この表示形式であっても、歩数計１００のユーザが、どのように地図上を移動して、最終的に地図上のどの地点に存在するかを一目で把握することができる。
【０１１７】
なお、図１９（ａ）ないし（ｃ）に示す地図形式による表示は例示として示したものであり、表示の表現方法は、種々の変形を行うことができる。
【０１１８】
また、図１７ないし図１９には、歩数計１００のユーザ名である電子メールの送信者名が記載されていないが、記載されていてもよい。
【０１１９】
また、上述した歩数計１００の動作では、歩数情報や位置情報に限らず、生体情報も読み出され、電子メールの本文に記載されているが、上記の各表示形式により表示される情報は、任意に選択可能である。したがって、端末用記憶部２９０ｅに記憶される設定条件によって歩数情報のみが読み出される場合もあるし、位置情報のみが読み出される場合もある。
【０１２０】
（データ要求メールの受信処理）
保護者等が所持する端末から送信されたデータ要求メールを歩数計１００が受信したときの処理について説明する。図２０は、歩数計１００がデータ要求メールを受信したときの処理動作を示す一実施例のフローチャートである。なお、歩数計１００が受信したデータ要求メール内に履歴用コードが記載されていた場合は、図８ｂに記載に示されるフローチャートに基づく処理動作が実行されるので、説明を省略する。
【０１２１】
まず、保護者等が所持する携帯端末１４（１４ａ，１４ｂ）あるいは監視用端末１６（１６ａ，１６ｂ）からデータ要求メールが送信される（ステップＳ１２０）。なお、このデータ要求メールの送信は、通常の電子メールの送信操作により行われてもよいし、専用のボタンを画面に表示させておき、そのボタンを押す操作により送信可能とするようにしてもよい。そうすると、歩数計１００がそのデータ要求メールを受信する（ステップＳ１２１）。そして、歩数計１００におけるメール受信処理部１２０は、データ要求メール内に記載される履歴用コードが記載されているか否かのチェックが行われる。データ要求メール内に履歴用コードの記載がない場合、歩数計１００におけるメール作成処理部２６０における電子メール作成機能が作動する（ステップＳ１２３）。続いて、順に、位置情報記憶部２９０ｄに記憶された緯度経度情報が読み出され（ステップＳ１２４）、歩数情報記憶部２９０ｃに記憶された歩数情報が読み出され（ステップＳ１２５）、生体情報記憶部２９０ｅに記憶された生体情報が読み出される（ステップＳ１２６）。次に、メール作成処理部２６０は、データ要求メールの送信元を電子メールの送信先に変換し、データ要求メールにおける送信先を電子メールの送信元に変換する。（ステップＳ１２７）そして、読み出された緯度経度情報、読み出された歩数情報および読み出された生体情報に基づいて、たとえば、図１６（ａ）ないし（ｂ）に示すような電子メールが作成され（ステップＳ１２８）、データ要求メールの送信元のメールアドレスに電子メールを送信する（ステップＳ１２９）。そして、データ要求メールの送信元の携帯端末１４（１４ａ，１４ｂ）あるいは監視用端末１６（１６ａ，１６ｂ）が電子メールを受信する（ステップＳ１３０）。
【０１２２】
続いて、図１６（ａ）ないし（ｃ）に示すような構成をした電子メールを受信した携帯端末１４（１４ａ，１４ｂ）および監視用端末１６（１６ａ，１６ｂ）は、緯度経度情報を住所情報に変換する処理を行う。また、携帯端末１４（１４ａ，１４ｂ）あるいは監視用端末１６（１６ａ，１６ｂ）のユーザが操作を行うことにより、歩数計１００のユーザに関する情報を適宜所望の形式により各端末のディスプレイに表示することができる。
【０１２３】
なお、携帯端末に本発明にかかる歩数計のデータを処理するデータ処理方法できるようなプログラムをインストールすることで実行できるようにしてもよい。また、たとえば、スマートフォンの画面に第１送信ボタン３３０や第２送信ボタン３４０のみを表示させておき、歩数計１００と同様の機能を持たせるようにしてもよい。
【０１２４】
また、本実施の形態にかかる歩数計には、音声情報処理部が含まれているが、これに限るものではなく、必ずしも含まれていなくてもよい。また、同様に、本発明の実施の形態にかかる歩数計には、生体情報を取得するための脈拍センサや温度センサが含まれているが、これに限るものではなく、必ずしも含まれていなくてもよい。
【０１２５】
さらに、本実施の形態にかかる歩数計には、第２送信ボタンが設けられているが、これに限るものではなく、必ずしも設けられていなくてもよい。
【０１２６】
また、本実施の形態にかかる歩数計には、脈拍センサおよび温度センサが設けられているが、これに限るものではなく、必ずしも設けられていなくてもよい。さらに、脈拍センサ６００は、図２あるいは図５に示すように、歩数計１００に一体となるように構成されているが、これに限るものではなく、別途、歩数計１００をユーザの脈拍を検知できる位置に配置することで、ユーザの脈拍を検知するようにしてもよい。同様に、温度センサ６１０は、図２あるいは図５に示すように、歩数計１００に一体となるように構成されているが、これに限るものではなく、別途、歩数計１００をユーザの体温を検知できる位置に配置することで、ユーザの体温を検知するようにしてもよい。
【０１２７】
また、本実施の形態にかかる歩数計について、電子メールの代替手段として、ショートメッセージ機能を用いて行ってもよい。ショートメッセージでは、あて先が、メールアドレスではなく、電話番号により特定される。したがって、ショートメッセージを用いて送信を行う場合は、メールアドレスではなく、電話番号が代わりに用いられる。なお、ショートメッセージ機能を用いては、空メールに対応できない点に留意が必要である。したがって、電子メールの代わりにショートメッセージ機能を用いる場合は、ショートメッセージの本文欄に、特定の制御文字（たとえば、位置情報を返信して欲しい場合は「０００００００１」、また、生体情報を返信して欲しい場合は「０００００００２」等）を入力することにより自動応答可能とするようにしてもよい。この場合、ショートメッセージには、ｓｕｂｊｅｃｔ欄がなく、文字数０もしくはブランクでも本文欄に入力することを促すメッセージが表示されるようにしてもよい。
【０１２８】
さらに、本実施の形態かかる歩数計は、位置情報の取得方法としてＧＰＳアンテナを用いたが、これに限るものではなく、無線基地局を利用して位置情報を取得してもよい。特に、屋内、地下等のＧＰＳの電波の受信が困難な場所の場合は、たとえば、Ｗｉ−Ｆｉのアクセスポイント等を利用することができる点で有効である。
【０１２９】
また、この発明は、上述した実施の形態に限定されるものではなく、実施の形態で述べた構成に新たな構成要素を追加したり、削除したり、変更等したりして種々の変形を行うことができる。
【符号の説明】
【０１３０】
１０  歩数計管理システム
１２  外部センター
１４、１４ａ、１４ｂ  携帯端末
１６、１６ａ、１６ｂ  監視用端末
１８  ネットワーク
１００、１００’、１００’’、１００’’’  歩数計
１０２  ケース
１０４  正面
１０６  底面
１０８  側面
１１０  角部
１１２  端縁部
１２０  管理用端末
２００  データ処理部
２１０  歩数情報処理部
２２０、２２０’  位置情報処理部
２３０  生体情報処理部
２４０  音声情報処理部
２５０  判定部
２６０  メール作成処理部
２７０  メール受信処理部
２８０  メール送信処理部
２９０  データ記憶部
２９０ａ  端子用記憶部
２９０ｂ  メールアドレス記憶部
２９０ｃ  歩数情報記憶部
２９０ｄ  位置情報記憶部
２９０ｅ  生体情報記憶部
２９０ｆ  文章データ記憶部
２９０ｇ  音声情報記憶部
２９０ｈ  判定情報記憶部
３００  加速度センサ
３１０  ＧＰＳアンテナ
３２０  マイク
３３０  第１送信ボタン
３４０  第２送信ボタン
３５０  バッテリ残量検知部
３６０  設定用端子部
３７０  角速度センサ
３８０  表示ボタン
４００  ＬＥＤ部
４１０  送信用ＬＥＤ
４２０  バッテリ状態表示用ＬＥＤ
５００  表示部
６００  脈拍センサ
６１０  温度センサ
Ｍ  表示領域
Ｐ１〜Ｐ５  測位地点
ＰEND  最終地点
Ｒ１〜Ｒ５  移動経路
ＲALL  全体の移動経路
【図１】
2014112349.tif 000003
【図２】
2014112349.tif 000004
【図３】
2014112349.tif 000005
【図４】
2014112349.tif 000006
【図５】
2014112349.tif 000007
【図６】
2014112349.tif 000008
【図７】
2014112349.tif 000009
【図８ａ】
2014112349.tif 000010
【図８ｂ】
2014112349.tif 000011
【図９】
2014112349.tif 000012
【図１０】
2014112349.tif 000013
【図１１】
2014112349.tif 000014
【図１２】
2014112349.tif 000015
【図１３】
2014112349.tif 000016
【図１４】
2014112349.tif 000017
【図１５】
2014112349.tif 000018
【図１６】
2014112349.tif 000019
【図１７】
2014112349.tif 000020
【図１８】
2014112349.tif 000021
【図１９】
2014112349.tif 000022
【図２０】
2014112349.tif 000023